(57)【要約】      （修正有）【課題】非使用時に軸方向と略直行する方向へのくさび部材の突出を抑制して省スペース化を図ることができる足場材を提供する。【解決手段】透孔部を有するフランジ部が取り付けられた支柱に架設される足場材本体１１と、足場材本体の先端部に取り付けられた接続本体２１と、接続本体の上下に形成された上部開口部２２及び下部開口部、及び接続本体の側端部に形成されフランジ部が差し込み可能なフランジ差込開口部２５を有する接続部材２０と、接続部材の上部開口部から下部開口部へ貫通可能に装着されたくさび状脚部３１を有するくさび部材３０とを備える接続部材２０へのフランジ部の差込時にはくさび状脚部３１がフランジ部の透孔部に楔着可能であるとともに、フランジ部の差込解除時にはくさび状脚部３１が接続部材のフランジ差込開口部２５から接続部材外部へ突出されて接続部材に保持される。【選択図】図２
0003197050.tif 000002
【実用新案登録請求の範囲】
【請求項１】
透孔部を有するフランジ部が取り付けられた支柱に前記フランジ部を介して架設される足場材本体と、
前記足場材本体の先端部に取り付けられた接続本体と、前記接続本体の上部に形成された上部開口部と、前記接続本体の下部に前記上部開口部と連通するように形成された下部開口部と、前記接続本体の側端部に前記透孔部が前記上部開口部及び前記下部開口部と連通するように前記フランジ部が差し込み可能なフランジ差込開口部とを有する接続部材と、
前記接続部材の前記上部開口部から前記下部開口部へ貫通可能に装着されたくさび状脚部を有し、前記接続部材への前記フランジ部の差込時には前記くさび状脚部が前記フランジ部の前記透孔部に楔着可能であるとともに、前記フランジ部の差込解除時には前記くさび状脚部を前記接続部材の前記フランジ差込開口部から前記接続部材外部へ突出させて前記接続部材が保持可能であるくさび部材
とを備えたことを特徴とする足場材。
【請求項２】
前記接続部材の前記フランジ差込開口部の開放側が、前記接続本体の側端部側に拡開して形成されている請求項１に記載の足場材。
【請求項３】
前記くさび部材の先端部に前記接続部材の前記上部開口部から上方への抜けを防止する下部抜止突部を有する請求項１または２に記載の足場材。
【請求項４】
前記くさび部材の後端部に前記接続部材の前記上部開口部から下方への抜けを防止する上部抜止突部を有する請求項１ないし３のいずれか１項に記載の足場材。
【請求項５】
前記足場材本体と前記接続部材との取付部分に補強部材が設けられている請求項１ないし４のいずれか１項に記載の足場材。
【考案の詳細な説明】
【技術分野】
【０００１】
本考案は、フランジ部が取り付けられた支柱に前記フランジ部を介して架設される足場材に関する。
【背景技術】
【０００２】
一般に、建築物等の工事等に際しては、建築物の外周に仮設足場が設置される。この仮設足場は、複数本の支柱が所定間隔で配置され、各支柱間には足場板が架設されて複数階層の足場が形成される。このような仮設足場の架設作業にあっては、上方への足場の継ぎ足し作業の安全対策として、足場板を架設させる前に、斜材、水平材、垂直材等の足場材が手すりとして先行して配置される。
【０００３】
上記足場材を配置する場合、例えば図６に示すように、透孔部６を有するフランジ部５が設けられた支柱１に、フランジ部５を介して足場材１００が接続される。その際、足場材本体１１１の先端にはフランジ部５が差込可能なフランジ差込開口部１２５を有する接続部材１２０が取り付けられており、フランジ差込開口部１２５にフランジ部５が差し込まれた状態でフランジ部５の透孔部６にくさび部材１３０を楔着させてフランジ部５に足場材１００を接続している（例えば、特許文献１参照。）
【０００４】
図６において、符号１２１は足場材本体１１１の先端に取り付けられる接続本体、１２２は接続部材１２０の上部開口部、１２３は接続部材１２０の下部開口部、１３１はフランジ部５の透孔部６に差し込み可能なくさび部材３０の短脚部、１３２は短脚部１３１と一体に連接されて短脚部１３１より下方へ延設されたくさび部材３０の長脚部、１３３はくさび部材３０後端に形成された操作用つまみ部、１３６は長脚部１３２に設けられた係着突部、１４０は接続本体１２１の足場材本体１１１側の側端部に形成され係着突部１３６が係着可能な引掛部である。
【０００５】
このような接続部材１２０を有する足場材１００では、くさび部材１３０が脱落しないように、くさび部材１３０の上下に抜止用の突部１３４，１３５を形成し、接続部材１２０があらかじめくさび部材１３０を挿入した状態で足場材本体１１１に取り付けられている。また、足場材１００の非使用時には、くさび部材１３０が接続部材１２０に挿入された状態で保持される。すなわち、くさび部材１３０が接続部材１２０の上部開口部１２２から下部開口部１２３へ貫通した状態となる。
【先行技術文献】
【特許文献】
【０００６】
【特許文献１】特開２００９−１５５８７５号公報
【考案の概要】
【考案が解決しようとする課題】
【０００７】
非使用時の足場材では、くさび部材が接続部材を上部開口部から下部開口部へ貫通していることにより、くさび部材の先端または後端が足場材の軸方向と略直行する方向に大きく突出する。そのため、複数の足場材を束ねる等して保管や搬送等のための収納をする際には、接続部材から軸方向と略直行する方向に突出したくさび部材が隣接する他の足場材や他の突出したくさび部材等と接触したりする等、互いに干渉して収納等の妨げとなることがある。そのため、複数の足場材をまとめる場合には、隣接する足場材同士の間隔を広くする等の広いスペースが必要となる等の問題があった。
【０００８】
本考案は前記の点に鑑みなされたものであり、足場材の非使用時に軸方向と略直行する方向へのくさび部材の突出を抑制して省スペース化を図ることができる足場材を提供するものである。
【課題を解決するための手段】
【０００９】
すなわち、請求項１の考案は、透孔部を有するフランジ部が取り付けられた支柱に前記フランジ部を介して架設される足場材本体と、前記足場材本体の先端部に取り付けられた接続本体と、前記接続本体の上部に形成された上部開口部と、前記接続本体の下部に前記上部開口部と連通するように形成された下部開口部と、前記接続本体の側端部に前記透孔部が前記上部開口部及び前記下部開口部と連通するように前記フランジ部が差し込み可能なフランジ差込開口部とを有する接続部材と、前記接続部材の前記上部開口部から前記下部開口部へ貫通可能に装着されたくさび状脚部を有し、前記接続部材への前記フランジ部の差込時には前記くさび状脚部が前記フランジ部の前記透孔部に楔着可能であるとともに、前記フランジ部の差込解除時には前記くさび状脚部を前記接続部材の前記フランジ差込開口部から前記接続部材外部へ突出させて前記接続部材が保持可能であるくさび部材とを備えたことを特徴とする足場材に係る。
【００１０】
請求項２の考案は、前記接続部材の前記フランジ差込開口部の開放側が、前記接続本体の側端部側に拡開して形成されている請求項１に記載の足場材に係る。
【００１１】
請求項３の考案は、前記くさび部材の先端部に前記接続部材の前記上部開口部から上方への抜けを防止する下部抜止突部を有する請求項１または２に記載の足場材に係る。
【００１２】
請求項４の考案は、前記くさび部材の後端部に前記接続部材の前記上部開口部から下方への抜けを防止する上部抜止突部を有する請求項１ないし３のいずれか１項に記載の足場材に係る。
【００１３】
請求項５の考案は、前記足場材本体と前記接続部材との取付部分に補強部材が設けられている請求項１ないし４のいずれか１項に記載の足場材に係る。
【考案の効果】
【００１４】
請求項１の考案に係る足場材は、透孔部を有するフランジ部が取り付けられた支柱に前記フランジ部を介して架設される足場材本体と、前記足場材本体の先端部に取り付けられた接続本体と、前記接続本体の上部に形成された上部開口部と、前記接続本体の下部に前記上部開口部と連通するように形成された下部開口部と、前記接続本体の側端部に前記透孔部が前記上部開口部及び前記下部開口部と連通するように前記フランジ部が差し込み可能なフランジ差込開口部とを有する接続部材と、前記接続部材の前記上部開口部から前記下部開口部へ貫通可能に装着されたくさび状脚部を有し、前記接続部材への前記フランジ部の差込時には前記くさび状脚部が前記フランジ部の前記透孔部に楔着可能であるとともに、前記フランジ部の差込解除時には前記くさび状脚部を前記接続部材の前記フランジ差込開口部から前記接続部材外部へ突出させて前記接続部材が保持可能であるくさび部材とを備えたため、足場材の非使用時に軸方向と略直行する方向へのくさび部材の突出を抑制して省スペース化を図ることができる。
【００１５】
請求項２の考案は、請求項１において、前記接続部材の前記フランジ差込開口部の開放側が、前記接続本体の側端部側に拡開して形成されているため、くさび状脚部をフランジ差込開口部から容易かつ円滑に突出させることができる。
【００１６】
請求項３の考案は、請求項１または２において、前記くさび部材の先端部に前記接続部材の前記上部開口部から上方への抜けを防止する下部抜止突部を有するため、くさび部材が接続部材からの上方への脱落を効果的に防止することができる。
【００１７】
請求項４の考案は、請求項１ないし３において、前記くさび部材の後端部に前記接続部材の前記上部開口部から下方への抜けを防止する上部抜止突部を有するため、くさび部材が接続部材からの下方への脱落を効果的に防止することができる。
【００１８】
請求項５の考案は、請求項１ないし４において、前記足場材本体と前記接続部材との取付部分に補強部材が設けられているため、足場材本体への接続部材の取り付けをより強固にすることができる。
【図面の簡単な説明】
【００１９】
【図１】本考案の一実施形態に係る足場材が支柱間に架設された状態を示す概略正面図である。
【図２】図１の足場材の非使用時の斜視図である。
【図３】図１の足場材の非使用時の概略断面図である。
【図４】図１の足場材を支柱に連結させた状態を示す概略断面図である。
【図５】図１の足場材を支柱に連結させた状態を示す概略上面図である。
【図６】従来の足場材を支柱に連結させた状態を示す概略断面図である。
【考案を実施するための形態】
【００２０】
図１は、建築物の工事等に際して建築物の外周に設置される仮設足場用の支柱１，１間に斜材、水平材、垂直材等の足場材１０を架設させた状態を表す正面図である。仮設足場用の支柱１は、垂直方向に立設されフランジ部５が複数個所に取り付けられている。フランジ部５は、図４，５に示すように、透孔部６を有する。フランジ部５の形状や透孔部６の数等は用途等に応じて適宜選択されるものであるが、図示の実施形態では、透孔部６が支柱１の外周面に９０度位相が異なる位置に４つ形成されている。
【００２１】
図１〜５に示すように、本考案の一実施形態に係る足場材１０は、足場材本体１１と、接続部材２０と、くさび部材３０とを備える。なお、以下の説明では、足場材１０は垂直方向に立設された支柱１に対して水平方向に架設される水平材とする。
【００２２】
足場材本体１１は、仮設足場の手すり部分等を構成する部材であり、図２〜図５に示すように、透孔部６を有するフランジ部５が取り付けられた支柱１にフランジ部５を介して架設される。この足場材本体１１としては、例えば、直径約２７ｍｍ、厚さ約２ｍｍで構成された円筒形状の鋼管が用いられる。
【００２３】
接続部材２０は、足場材本体１１を支柱１のフランジ部５に接続するための部材であり、図２〜図５に示すように、接続本体２１と、上部開口部２２と、下部開口部２３と、フランジ差込開口部２５とを有する。接続本体２１は、足場材本体１１の先端部に取り付けられる中空形状の部材であり、フランジ部５との接続時に側端部が支柱１の外周面に当接する当接部２１ａを有する。足場材本体１１への接続本体２１の取り付けは、公知の溶接等の適宜の取り付け手段が用いられる。また、接続本体２１は側端部が拡開されて側面視略倒Ｙ字状に形成されている。
【００２４】
上部開口部２２は、接続本体２１の上部に、当接部２１ａ側から足場材本体１１との取付部分に亘って開口して形成される。一方、下部開口部２３は、接続本体２１の下部に、当接部２１ａ側から足場材本体１１との取付部分に亘って上部開口部２２と連通するように開口して形成される。
【００２５】
フランジ差込開口部２５は、接続本体２１の側端部からフランジ部５が差し込み可能なように略水平方向へ切り込み状に形成された開口部分である。このフランジ差込開口部２５では、支柱１からフランジ部５の先端までの長さよりも水平方向の長さの方が長く形成されて、フランジ部５の差込時に透孔部６が上部開口部２２及び下部開口部２３と連通するように構成される。また、フランジ差込開口部２５の開放側（接続本体２１の当接部２１ａ側）が、接続本体２１の側端部側に拡開して形成された拡開開口部２６とされている。
【００２６】
足場材本体１１と接続部材２１との取り付けに際しては、図１〜図４に示すように、その取付部分に補強部材４０が設けられる。補強部材４０は、足場材本体１１と接続部材２１の双方の下部外周面に一体に溶接される板状部材である。これにより、足場材本体１１への接続部材２１の取り付けがより強固となる。
【００２７】
くさび部材３０は、接続部材２０のフランジ差込開口部２５に支柱１のフランジ部５を差し込んで接続した際にフランジ部５と接続部材２０とを固定する部材であり、図１，４に示すように、接続部材２０にその上部開口部２２から下部開口部２３へ貫通可能に装着されるくさび状脚部３１を備える。くさび状脚部３１は、直線状側部３１ａと、先端側に向かって縮小するように直線状側部３１ａに対して逆テーパ状に傾斜する傾斜状側部３１ｂとを有する。
【００２８】
また、くさび部材３０は、くさび状脚部３１の先端に傾斜状側部３１ｂ側へ屈曲した先端部３２と、くさび状脚部３１の後端に傾斜状側部３１ｂ側へ屈曲した後端部３３とを有する。先端部３２には、接続部材２０の上部開口部２２から上方への抜けを防止する下部抜止突部３４が形成されている。後端部３３には、接続部材２０の上部開口部２２から下方への抜けを防止する上部抜止突部３５が形成されている。下部抜止突部３４及び上部抜止突部３５により、くさび部材３０が接続部材２０の上方及び下方のいずれからの脱落も防止することができる。
【００２９】
上記くさび部材３０は、図４，５に示すように、接続部材２０へのフランジ部５の差込時に、フランジ部５の透孔部６に楔着可能に構成されている。くさび部材３０の楔着に際しては、くさび状脚部３１に傾斜状側部３１ｂが形成されていることにより、くさび状脚部３１が透孔部６へ所定量差し込まれて、くさび状脚部３１の直線状側部３１ａが接続本体２１の当接部２１ａに当接されるとともに、傾斜状側部３１ｂが透孔部６の内側面６ａに当接される。そして、ハンマー等によりくさび部材３０の後端部３３側から差し込み方向へ打ち付けることにより、くさび状脚部３１が当接部２１ａ及び透孔部６の内側面６ａに圧接されて強固に楔着される。一方、くさび部材３０の楔着を解除する際には、くさび部材３０の先端部３２側からハンマー等により差し込み方向の反対側へ打ち付けることにより、くさび状脚部３１の圧接が解除され、透孔部６からくさび部材３０を容易に抜き取ることが可能となる。
【００３０】
また、くさび部材３０は、接続部材２０の上部開口部２２に遊挿されていることから、足場材１０の非使用時であるフランジ部５の差込解除時において、通常は上部抜止突部３５が接続部材２０上部に係着して、接続部材２０の下部開口部２３から先端部３２側が突出した状態、すなわち足場材１０の軸方向と略直行する方向へくさび部材３０が突出した状態となる。そこで、図２，３に示すように、足場材１０の非使用時（フランジ部５の差込解除時）には、くさび状脚部３１が接続部材２０のフランジ差込開口部２５から接続部材２０外部へ突出されて接続部材２０に保持可能に構成される。
【００３１】
くさび状脚部３１をフランジ差込開口部２５から突出させる場合、くさび状脚部３１を接続部材２０の下部開口部２３へ挿通させずに、先端部３１側を接続部材２０の当接部２１ａ側へ傾斜させて、接続本体２１内からフランジ差込開口部２５へ挿通させる。その際、フランジ差込開口部２５の開口側を拡開開口部２６とすることにより、くさび状脚部３１がフランジ差込開口部２５に接触しにくくなり、容易かつ円滑に突出させることができる。
【００３２】
このようにフランジ差込開口部２５からくさび状脚部３１を突出させたくさび部材３０は、図示のように、接続部材２０の上部開口部２２から側端部側のフランジ差込部２５へ向かって傾斜した状態となる。そのため、くさび部材３０の先端部３２側が接続部材２０の下部側からほとんど突出せず、足場材１０の軸方向と略直行する方向へのくさび部材３０の突出が大幅に抑制される。これにより、複数の足場材１０を束ねる等する場合であっても、隣接する他の足場材と不要な干渉等が生じず、足場材同士の間隔を広く確保する必要がなくなって省スペース化を図ることが可能となる。
【００３３】
なお、本考案の足場材は、前述の実施例のみに限定されるものではなく、考案の趣旨を逸脱しない範囲において構成の一部を適宜に変更して実施することができる。
【産業上の利用可能性】
【００３４】
以上のとおり、本考案の足場材は、足場材の非使用時の省スペース化を図ることができるため、複数の足場材を束ねる等した保管や搬送等の収納効率の向上が期待できる。
【符号の説明】
【００３５】
１      支柱
５      フランジ部
６      透孔部
６ａ    透孔部の内側面
１０    足場材
１１    足場材本体
２０    接続部材
２１    接続本体
２１ａ  当接部
２２    上部開口部
２３    下部開口部
２５    フランジ差込開口部
２６    拡開開口部
３０    くさび部材
３１    くさび状脚部
３１ａ  直線状側部
３１ｂ  傾斜状側部
３２    先端部
３３    後端部
３４    下部抜止突部
３５    上部抜止突部
４０    補強部材
【図１】
0003197050.tif 000003
【図２】
0003197050.tif 000004
【図３】
0003197050.tif 000005
【図４】
0003197050.tif 000006
【図５】
0003197050.tif 000007
【図６】
0003197050.tif 000008